(57)【特許請求の範囲】
【請求項１】
搬送装置が配置された無軌道台車の枠体に、
前記搬送装置の下方に位置すると共に前記搬送装置上に搭載された容器に収納されたワークから滴下した油を受けるためのオイルパンと、
該オイルパンの下部に配置されたフィルタと、
該フィルタの下方に配置されると共に前記オイルパンから落ちて当該フィルタで異物を除去された油を貯留するオイルタンクと、
該オイルタンクに貯留されている油を油排出位置に配設した油受入手段へ排出するためのポンプと、
該ポンプから前記油受入手段へ油を排出するための排出管の先端下方に位置し且つ前記排出管の先端から垂れた油を受ける補助パンとを設け、
該補助パンに、当該補助パンに垂れた油を前記オイルタンクへ戻す油戻し管を接続したことを特徴とする無軌道台車の油回収装置。
【発明の詳細な説明】
【０００１】
【発明の属する技術分野】
本発明は、無軌道台車の油回収装置に関するものである。
【０００２】
【従来の技術】
浸炭炉で浸炭処理された機械部品等のワークは、バケットに収納されて浸炭炉出口コンベヤにより搬送され、浸炭炉の外に待機している無軌道台車にバケットと共に搭載され、無軌道台車によって次の工程へ搬送されるようになっている。又、無軌道台車には、ワークの搬送中にバケットから滴下した油を受けるためのオイルパンとオイルパンから滴下した油（焼入れ油）を貯留するためのオイルタンクが設けられている。
【０００３】
而して、上述の無軌道台車においては、オイルタンクに所定のレベルまで油が溜まったら、適宜作業員がオイルタンク内の油を柄杓等で汲み出し他の大きな容器へ排出している。
【０００４】
【発明が解決しようとする課題】
しかしながら、従来、油の排出は作業員が手作業で行っているため、作業が煩雑であるうえ、忘れたりして排出作業を怠ると油がオイルタンクから溢れて床を汚す虞がある。
【０００５】
本発明は、斯かる実情に鑑み、無軌道台車の枠体に配設されたオイルタンクからの油の排出を所定の場所で定期的にしかも自動的に行い得るようにした無軌道台車の油回収装置を提供しようとするものである。
【０００６】
【課題を解決するための手段】
本発明の無軌道台車の油回収装置は、
搬送装置が配置された無軌道台車の枠体に、
前記搬送装置の下方に位置すると共に前記搬送装置上に搭載された容器に収納されたワークから滴下した油を受けるためのオイルパンと、
該オイルパンの下部に配置されたフィルタと、
該フィルタの下方に配置されると共に前記オイルパンから落ちて当該フィルタで異物を除去された油を貯留するオイルタンクと、
該オイルタンクに貯留されている油を油排出位置に配設した油受入手段へ排出するためのポンプと、
該ポンプから前記油受入手段へ油を排出するための排出管の先端下方に位置し且つ前記排出管の先端から垂れた油を受ける補助パンとを設け、
該補助パンに、当該補助パンに垂れた油を前記オイルタンクへ戻す油戻し管を接続したものである。
【０００９】
本発明においては、ワークから滴下した油は、オイルパンを経てオイルタンクへ貯留され、無軌道台車が油排出位置に来ると、ポンプが駆動されてオイルタンクへ貯留されている油は油受入手段へ排出される。
【００１０】
本発明においては、無軌道台車に搭載されたオイルタンクからの油の排出を所定の場所で定期的にしかも自動的に行うことができるため、油の排出を作業員が手作業で行う必要がなく、従って、油の排出を容易且つ確実に行うことができ、作業の信頼性が向上する、という優れた効果を奏し得る。
【００１１】
【発明の実施の形態】
以下、本発明の実施の形態を図示例と共に説明する。
【００１２】
図１、２は本発明を実施する形態の一例であって、図中、１は例えば磁気誘導により走行し得るようにした無軌道台車である。而して、無軌道台車１のフレーム１ａ上面には、搬送方向Ｄ１が平面視で無軌道台車１の走行方向Ｄ２に対し直交する方向となるよう、ローラコンベヤ２が配設されている。
【００１３】
ローラコンベヤ２の下面には、ローラコンベヤ２から滴下した油（焼き入れ油）を受けるためのオイルパン３が配設されており、オイルパン３の下方には、フィルタ４を通って異物を除去された油を管路５を介し受けるためのオイルタンク６が配設されている。
【００１４】
オイルタンク６には、液面計７が取り付けられており、オイルタンク６の油のレベルが上限位置に達したら、例えば警報を発し得るようになっている。又オイルタンク６に溜まった油は、枠体１ａに配設したポンプ８により排出管９を介し、オイルタンク６外へ排出し得るようになっている。更に、無軌道台車１には、排出管９の先端から垂れた油を受けるための補助パン１０が配設されており、補助パン１０に溜まった油は油戻し管１１からオイルタンク６へ戻し得るようになっている。
【００１５】
１２は浸炭炉１３内に設置した浸炭炉出口コンベヤであり、浸炭炉出口コンベヤ１２は機械部品などのワークを収納したバケット１４を搬送して浸炭炉１３の外部に待機している無軌道台車１のローラコンベヤ２上へ移載し得るようになっている。
【００１６】
浸炭炉出口コンベヤ１２の下面には、油収集システムとして、浸炭炉出口コンベヤ１２から滴下した油を受けるためのオイルパン１５が配設されており、オイルパン１５の下方には、オイルパン１５からの油を受けるためのオイルタンク１６が配設されている。而して、オイルパン１５の無軌道台車１側端部は、無軌道台車１が浸炭炉出口コンベヤ１２の先端部所定位置に停止し待機した際に、無軌道台車１のフレーム１ａ部近傍まで延在し、その結果、無軌道台車１のポンプ８に接続されている排出管９の先端部はオイルタンク６からの油をオイルパン１５にスムーズに排出し得るよう、オイルパン１５の側縁部近傍の底面上方に位置し得るようになっている。
【００１７】
オイルタンク１６内には、フィルタ１７が配置されていると共にフィルタ１７を通って異物を除去された油は、ポンプ１８により、管路１９を介して図示してない浮上油回収装置へ油を送給し得るようになっている。
【００１８】
次に、上記図示例の作動を説明する。
【００１９】
無軌道台車１にはワークの収納されたバケット１４が搭載され、無軌道台車１が走行することによりワークの搬送が行なわれるが、ワークに付着している油は搬送中にワークから滴下する。この滴下した油はオイルパン３に落下し、オイルパン３に溜まった油は、フィルタ４で異物を除去されたうえ、管路５を経てオイルタンク６へ貯留される。
【００２０】
浸炭炉１３の浸炭炉出口コンベヤ１２から浸炭処理の終了したワークが収納されたバケット１４を受け取るため、バケット１４を搭載していない空の無軌道台車１が浸炭炉出口コンベヤ１２の側方まで走行し停止すると、図１に示すように、排出管９の先端部下端は、浸炭炉出口コンベヤ１２の下方へ配置されたオイルパン１５における側縁部側の底面上方へ位置する。そうすると、ポンプ８が自動的に一定時間の間駆動され、オイルタンク６内の油はポンプ８により排出管９を介し、オイルパン１５へ排出され、オイルパン１５からオイルタンク１６へ排出される。而してオイルタンク６からの油の排出が終了すれば、ポンプ８は停止する。
【００２１】
一方、浸炭炉１３で浸炭処理が行なわれたワークは、バケット１４に収納されて浸炭炉出口コンベヤ１２により搬送され、浸炭炉１３の外部で待機している無軌道台車１のローラコンベヤ２上に搭載される。このため、無軌道台車１は次の工程へ向かって再び走行を開始する。この際、無軌道台車１に配置されたポンプ８に接続された排出管９から垂れた油は補助パン１０に受けられ、補助パン１０から油戻し管１１を通ってオイルタンク６へ戻る。
【００２２】
浸炭炉出口コンベヤ１２下方のオイルパン１５には、無軌道台車１に設置されたオイルタンク６からの油以外に、バケット１４に収納されて浸炭炉出口コンベヤ１２上を搬送されているワークからも油が滴下する。而してオイルパン１５に受けられた油は、オイルパン１５からオイルタンク１６へ流下して貯留され、ポンプ１８の吸引力によりフィルタ１７を通って異物を除去された後、ポンプ１８により、管路１９を通って浮上油回収装置へ送給される。
【００２３】
本実施の形態においては、無軌道台車１に搭載されたオイルタンク６からの油の排出を所定の場所で定期的にしかも自動的に行うことができるため、油の排出を作業員が手作業で行う必要がなく、従って、油の排出を容易且つ確実に行うことができ、作業の信頼性が向上する。
【００２４】
尚、本発明の無軌道台車の油回収装置は、上述の図示例にのみ限定されるものではなく、本発明の要旨を逸脱しない範囲内において種々変更を加え得ることは勿論である。
【００２５】
【発明の効果】
以上、説明したように本発明の無軌道台車の油回収装置によれば、無軌道台車に搭載されたオイルタンクからの油の排出を所定の場所で定期的にしかも自動的に行うことができるため、油の排出を作業員が手作業で行う必要がなく、従って、油の排出を容易且つ確実に行うことができ、作業の信頼性が向上する、という優れた効果を奏し得る。
【図面の簡単な説明】
【図１】本発明の無軌道台車の油回収装置の実施の形態の一例の概要図である。
【図２】図１に示す無軌道台車の側面図である。
【符号の説明】
１    無軌道台車
１ａ  フレーム（枠体）
２    ローラコンベヤ（搬送装置）
３    オイルパン
６    オイルタンク
７ フィルタ
８    ポンプ
９    排出管
１０  補助パン
１１  油戻し管
１４  バケット（容器）
１５  オイルパン（油受入手段）
【図１】
0004225640.tif 000002
【図２】
0004225640.tif 000003